(57)【要約】【課題】画像形成装置の前側から車椅子に座ったユーザが前記画像形成装置に接近する際、前記ユーザの足元と画像形成装置下部とがぶつからずに接近できるようにすること。【解決手段】前方に引き出された引出し位置と、後方に押し込まれた収納位置との間で移動可能なトレイ支持部材（ＵＴ１）と、前記トレイ支持部材（ＵＴ１）により後方に行くに従って下方に傾斜する状態で支持された前記複数段の給紙トレイ（ＴＲ1〜ＴＲ3）とを有する移動ユニット（ＵＴ）であって、前記収納位置では前記各給紙トレイ（ＴＲ1〜ＴＲ3）前端が前記移動ユニット（ＵＴ）の上方の画像記録装置（Ｕ）の前端よりも後方に配置される前記移動ユニット（ＵＴ）を、備えた画像形成装置。【選択図】図２
2007214836.tif 000002
【特許請求の範囲】
【請求項１】
次の構成要件（Ａ01）〜（Ａ06）を備えた画像形成装置、
（Ａ01）複数の画像記録用のシートを積層状態で収容可能で且つ前方に引き出し可能な複数段の給紙トレイ、
（Ａ02）前記複数段の給紙トレイの各シートを取り出してシート搬送装置に搬送する給紙装置、
（Ａ03）前記複数段の給紙トレイ及び給紙装置の上方に配置された画像記録位置を通過するシートに画像を記録する画像記録装置、
（Ａ04）前記画像記録装置の上方に配置された上面排紙トレイ、
（Ａ05）前記給紙装置により上方に搬送されたシートを、前記画像記録位置および前記上面排紙トレイに順次搬送するシート搬送装置、
（Ａ06）前方に引き出された引出し位置と、後方に押し込まれた収納位置との間で移動可能なトレイ支持部材と、前記トレイ支持部材により後方に行くに従って下方に傾斜する状態で支持された前記複数段の給紙トレイと、を有する移動ユニットであって、前記収納位置では前記各給紙トレイ前端が前記移動ユニットの上方の画像記録装置の前端よりも後方に配置される前記移動ユニット。
【請求項２】
次の構成要件（Ａ07）を備えた請求項１記載の画像形成装置、
（Ａ07）上側に配置される給紙トレイに比較してシート搬送方向のサイズが小さく下側に配置された給紙トレイを有する前記複数段の給紙トレイ。
【請求項３】
次の構成要件（Ａ08）を備えた請求項１または２記載の画像形成装置、
（Ａ08）前記トレイ支持部材の後部に支持され、且つ前記給紙トレイのシートを一旦下方に取り出してからＵターンさせて上方に搬送する前記給紙装置。
【請求項４】
次の構成要件（Ａ09）を備えた請求項１ないし３のいずれか記載の画像形成装置、
（Ａ09）原稿画像を前記画像記録装置で記録するために前記上面排紙トレイの
上方に配置され、前記原稿画像の読取り画像データを前記画像記録装置に送信するイメージスキャナ。
【請求項５】
次の構成要件（Ａ010）を備えた請求項１ないし３のいずれか記載の画像形成装置、
（Ａ010）前記画像記録位置を通過して回転するトナー像担持体の表面にトナー像を形成するトナー像形成装置と、前記シートが前記画像記録位置を通過する際に前記トナー像を前記シートに転写する転写装置とを有する前記画像記録装置。
【請求項６】
次の構成要件（Ａ011）、（Ａ012）を備えた請求項５記載の画像形成装置、
（Ａ011）前記画像記録位置を通過して回転する感光体表面を有するトナー像担持体と、前記感光体表面を一様に帯電させる帯電部材と、帯電された前記感光体表面に静電潜像を形成する潜像形成装置と、前記静電潜像をトナー像に現像する現像装置を有する前記トナー像形成装置、
（Ａ012）前記感光体表面のトナー像を前記画像記録位置において前記シートに転写する前記シート転写部材とを有する前記転写装置。
【請求項７】
次の構成要件（Ａ013），（Ａ014）を備えた請求項５記載の画像形成装置、
（Ａ013）前記画像記録位置を通過して回転する感光体表面を有する第１のトナー像担持体と、前記感光体表面を一様に帯電させる帯電部材と、帯電された前記感光体表面に静電潜像を形成する潜像形成装置と、前記静電潜像をトナー像に現像する現像装置とを有する前記トナー像形成装置、
（Ａ014）前記感光体表面のトナー像を回転する第２のトナー像担持体表面に転写する第１の転写部材と、前記第２のトナー像担持体表面のトナー像を前記画像記録位置において前記シートに転写する第２の転写部材であるシート転写部材とを有する前記転写装置。
【発明の詳細な説明】
【技術分野】
【０００１】
本発明は、画像形成装置に関し、特に、車椅子に座ったユーザが画像形成装置の前面側から画像形成装置に接近した際に前記ユーザの足や車椅子の下部が画像形成装置の前面下部に当たらないように構成された画像形成装置に関する。
【背景技術】
【０００２】
前記画像形成装置として次の技術（Ｊ01）,（Ｊ02）が従来知られている。
（Ｊ01）特許文献１（特開平６−１９００６号公報）記載の技術
特許文献１には、車椅子に座ったユーザが座位姿勢のままで容易に読取り部上面での原稿押え６２の開閉や原稿のセット等の作業を行うことができるように、画像形成装置の上部に設けた原稿の読取部５１が前面５７側（ユーザ側）へ水平移動可能に構成された画像形成装置である複写機５０が記載されている。
【０００３】
（Ｊ02）特許文献２（特開２００３−２０６０６５）記載の技術
特許文献２には、前記車椅子に乗ったユーザが進入可能な空間Ａの上方、側部、反対側部にそれぞれ画像形成ユニット２、移動ユニット３、後処理ユニット１１２を配置した画像形成装置が記載されている。
【特許文献１】特開平６−１９００６号公報
【特許文献２】特開２００３−２０６０６５号公報
【発明の開示】
【発明が解決しようとする課題】
【０００４】
（特許文献１（特開平６−１９００６号公報）記載の技術の問題点）
特許文献１記載の技術では、前記読取部５１が前面５７側（ユーザ側）に水平移動させるために構成が複雑になる。
また、複写機５０の前後方向の長さは複写機５０の上部と下部とでほぼ同一に形成されている。そして、複写機５０上部および下部の前面はほぼ面一（つらいち）に形成されている。この場合前記車椅子に座ったユーザは、前記複写機５０に前側から接近した場合足元が複写機５０下部の前面に接触する位置からさらに複写機５０に接近することができない。このため作業時には、概ね前記複写機５０本体と車椅子６４の前後方向の長さを合わせた分だけのスペースが必要となる。したがって作業時のスペースが大きくなってしまうという問題が生じる。
（特許文献２（特開２００３−２０６０６５）記載の技術の問題点）
特許文献２記載の技術では、車椅子に乗ったユーザが進入可能な空間Ａの側部、反対側部にはそれぞれ移動ユニット２、後処理装置１１２が設けられている。このため、前記画像形成装置の横方向のスペースが大きくなってしまうという問題が生じる。
【０００５】
本発明は前記事情に鑑み、次の記載内容（Ｏ01）を備えたことを特徴とする。
（Ｏ01）画像形成装置の前側から車椅子に座ったユーザが前記画像形成装置に接近する際、前記ユーザの足元と画像形成装置下部とがぶつからずに接近できるようにすること。
【課題を解決するための手段】
【０００６】
次に、前記課題を解決した本発明を説明するが、本発明の構成要素には、後述の実施例の構成要素との対応を容易にするため、実施例の構成要素の符号をカッコで囲んだものを付記する。
なお、本発明を後述の実施例の符号と対応させて説明する理由は、本発明の理解を容易にするためであり、本発明の範囲を実施例に限定するためではない。
【０００７】
（本発明）
前記課題を解決するために本発明の画像形成装置（Ｕ）は、次の構成要件（Ａ01）〜（Ａ06）を備えたことを特徴とする。
（Ａ01）複数の画像記録用のシートを積層状態で収容可能で且つ前方に引出し可能な複数段の給紙トレイ（ＴＲ1〜ＴＲ3）、
（Ａ02）前記複数段の給紙トレイ（ＴＲ1〜ＴＲ3）の各シートを取り出してシート搬送装置（ＨＳ）に搬送する給紙装置（ＳＫ）、
（Ａ03）前記複数段の給紙トレイ（ＴＲ1〜ＴＲ3）および給紙装置（ＳＫ）の上方に配置された画像記録位置（Ｑ３）を通過するシートに画像を記録する画像記録装置（ＩＯＴ）、
（Ａ04）前記画像記録装置（ＩＯＴ）の上方に配置された上面排紙トレイ（ＴＲｈ）、
（Ａ05）前記給紙装置（ＳＫ）により上方に搬送されたシートを、前記画像記録位置（Ｑ３）および前記上面排紙トレイ（ＴＲｈ）に順次搬送するシート搬送装置（ＨＳ）、
（Ａ06）前方に引き出された引出し位置と、後方に押し込まれた収納位置との間で移動可能なトレイ支持部材（ＵＴ１）と、前記トレイ支持部材（ＵＴ１）により後方に行くに従って下方に傾斜する状態で支持された前記複数段の給紙トレイ（ＴＲ1〜ＴＲ3）とを有する移動ユニット（ＵＴ）であって、前記収納位置では前記各給紙トレイ（ＴＲ1〜ＴＲ3）前端が前記移動ユニット（ＵＴ）の上方の画像記録装置（Ｕ）の前端よりも後方に配置される前記移動ユニット（ＵＴ）。
【０００８】
（本発明の作用）
前記構成要件（Ａ01）〜（Ａ06）を備えた本発明の画像形成装置（Ｕ）では、複数段の給紙トレイ（ＴＲ1〜ＴＲ3）は複数の画像記録用のシートを積層状態で収容可能で且つ前方に引き出す。給紙装置（ＳＫ）は前記複数段の給紙トレイ（ＴＲ1〜ＴＲ3）の各シートを取り出してシート搬送装置（ＨＳ）に搬送する。画像記録装置（ＩＯＴ）は前記複数段の給紙トレイ（ＴＲ1〜ＴＲ3）及び給紙装置（ＳＫ）の上方に配置された画像記録位置（Ｑ３）を通過するシートに画像を記録する。シート搬送装置（ＨＳ）は前記給紙装置（ＳＫ）により、上方に搬送されたシートを上方の前記画像記録位置（Ｑ３）および前記画像記録装置（ＩＯＴ）の上方に配置された上面排紙トレイ（ＴＲｈ）に順次搬送する。
【０００９】
移動ユニット（ＵＴ）は前方に引き出された引出し位置と、後方に押し込まれた収納位置との間で移動可能なトレイ支持部材（ＵＴ１）と、前記トレイ支持部材（ＵＴ１）により後方に行くに従って下方に傾斜する状態で支持された前記複数段の給紙トレイ（ＴＲ1〜ＴＲ3）とを有する。
前記収納位置では、前記移動ユニット（ＵＴ）は、前記各給紙トレイ（ＴＲ1〜ＴＲ3）前端が前記移動ユニット（ＵＴ）の上方の画像記録装置（Ｕ）の前端よりも後方に配置される。このため、車椅子に座ったユーザは、足元を前記移動ユニット（ＵＴ）の上方の画像記録装置（ＩＯＴ）の前端よりも後方に進入させて作業を行うことができる。
したがって、本発明の画像形成装置（Ｕ）では、画像形成装置（Ｕ）の前側から車椅子に座ったユーザが前記画像形成装置（Ｕ）に接近する際、前記ユーザの足元と画像形成装置（Ｕ）下部とがぶつからずに接近することができる。
【００１０】
（本発明の形態１）
本発明の形態１の画像形成装置（Ｕ）は、本発明において次の構成要件（Ａ07）を備えたことを特徴とする。
（Ａ07）上側に配置される給紙トレイ（ＴＲ1〜ＴＲ3）に比較してシート搬送方向のサイズが小さく、下側に配置された給紙装置（ＳＫ）を有する前記複数段の給紙トレイ（ＴＲ1〜ＴＲ3）。
（本発明の形態１の作用）
前記構成要件（Ａ07）を備えた本発明の形態１の画像形成装置（Ｕ）では、前記複数段の給紙トレイ（ＴＲ1〜ＴＲ3）の上側に配置される給紙トレイ（ＴＲ1〜ＴＲ3）に比較して下側に配置される給紙トレイ（ＴＲ1〜ＴＲ3）は、シート搬送方向のサイズが小さい。前記複数段の給紙トレイ（ＴＲ1〜ＴＲ3）の配置によって、前記画像形成装置（Ｕ）の下部には、車椅子に座ったユーザの足の下部が入るスペースを確保することができる。したがって、前記車椅子に座ったユーザは、前記画像形成装置（Ｕ）に接近した状態で前記画像形成装置（Ｕ）に対する操作を行うことができる。
【００１１】
（本発明の形態２）
本発明の形態１の画像形成装置（Ｕ）は、本発明および本発明の形態１において次の構成要件（Ａ08）を備えたことを特徴とする。
（Ａ08）前記トレイ支持部材（ＵＴ１）の後部に支持され、且つ前記給紙トレイ（ＴＲ1〜ＴＲ3）のシートを一旦下方に取り出してからＵターンさせて上方に搬送する前記給紙部材（ＳＫ）。
（本発明の形態２の作用）
前記構成要件（Ａ08）を備えた本発明の形態２の画像形成装置（Ｕ）では、前記トレイ支持部材（ＵＴ１）の後部に支持された前記給紙部材（ＳＫ）は、前記給紙トレイ（ＴＲ1〜ＴＲ3）のシートを一旦下方に取り出してからＵターンさせて上方に搬送する。
【００１２】
（本発明の形態３）
本発明の形態３の画像形成装置（Ｕ）は、本発明または本発明の形態１もしくは３において次の構成要件（Ａ09）を備えたことを特徴とする。
（Ａ09）原稿画像を前記画像記録装置（ＩＯＴ）で記録するために前記上面排紙トレイ（ＴＲｈ）の上方に配置され、前記原稿画像の読取り画像データを前記画像記録装置（ＩＯＴ）に送信するイメージスキャナ（ＩＩＴ）。
【００１３】
（本発明の形態３の作用）
前記構成要件（Ａ09）を備えた本発明の形態３の画像形成装置（Ｕ）では、原稿画像を前記画像記録装置（ＩＯＴ）で記録するために前記上面排紙トレイ（ＴＲｈ）の上方に配置されたイメージスキャナ（ＩＩＴ）は、前記原稿画像の読取り画像データを前記画像記録装置（ＩＯＴ）に送信する。
【００１４】
（本発明の形態４）
本発明の形態４の画像形成装置（Ｕ）は、本発明または本発明の形態１もしく３のいずれかにおいて次の構成要件（Ａ010）を備えたことを特徴とする。
（Ａ010）前記画像記録位置（Ｑ３）を通過して回転するトナー像担持体（ＰＲ）の表面にトナー像を形成するトナー像形成装置（ＣＲ，Ｒ０，Ｇ）と、前記シートが前記画像記録位置（Ｑ３）を通過する際に前記トナー像を前記シートに転写する転写部材（ＲＴ）とを有する前記画像記録装置（ＩＯＴ）。
（本発明の形態４の作用）
前記構成要件（Ａ010）を備えた本発明の形態４の画像形成装置（Ｕ）では、前記画像記録装置（ＩＯＴ）はトナー像形成装置（ＣＲ，Ｒ０，Ｇ）と転写部材（ＲＴ）とを有する。
前記トナー像形成装置（Ｇ）は、前記画像記録位置（Ｑ３）を通過して回転するトナー像担持体（ＰＲ）の表面にトナー像を形成する。前記転写装置（ＲＴ）は、前記シートが前記画像記録位置（Ｑ３）を通過する際にトナー像を前記シートに転写する。
【００１５】
（本発明の形態５）
本発明の形態５の画像形成装置（Ｕ）は、本発明の形態４において次の構成要件（Ａ011）、（Ａ012）を備えたことを特徴とする。
（Ａ011）前記画像記録位置（Ｑ３）を通過して回転する感光体（ＰＲ）表面を有するトナー像担持体（ＰＲ）と、前記感光体（ＰＲ）表面を一様に帯電させる帯電部材（ＣＲ）と、帯電された前記感光体（ＰＲ）表面に静電潜像を形成する潜像形成装置（ＲＯＳ）と、前記静電潜像をトナー像に現像する現像装置（Ｇ）とを有するトナー像形成装置（ＣＲ，Ｒ０，Ｇ）、
（Ａ012）前記感光体（ＰＲ）表面のトナー像を前記画像記録位置（Ｑ３）において前記シートに転写するシート転写部材（ＲＴ）を有する。
【００１６】
（本発明の形態５の作用）
前記構成要件（Ａ011）,（Ａ012）を備えた本発明の形態５の画像形成装置（Ｕ）では、前記帯電部材（ＣＲ）はトナー像形成装置（ＣＲ，Ｒ０，Ｇ）の前記画像記録位置（Ｑ３）を通過して回転する感光体（ＰＲ）表面を一様に帯電させる。前記潜像形成装置（ＲＯＳ）は、帯電された前記感光体（ＰＲ）表面に静電潜像を形成する。前記現像装置（Ｇ）は、前記静電潜像をトナー像に現像する。転写装置の前記シート転写部材（ＲＴ）は前記感光体（ＰＲ）表面のトナー像を前記画像記録位置（Ｑ３）において前記シートに転写する。
【００１７】
（本発明の形態６）
本発明の形態６の画像形成装置（Ｕ）は、本発明の形態４において次の構成要件（Ａ013）,（Ａ014）を備えたことを特徴とする。
（Ａ013）前記画像記録位置を通過して回転する感光体（ＰＲ）表面を有する第１のトナー像担持体（ＰＲ）と、前記感光体（ＰＲ）表面を一様に帯電させる帯電部材（ＣＲ）と、帯電された前記感光体（ＰＲ）表面に静電潜像を形成する潜像形成装置（ＲＯＳ）と、前記静電潜像をトナー像に現像する現像装置（Ｇ）とを有する前記トナー像形成装置（ＰＲ，ＣＲ，ＲＯＳ，Ｇ）、
（Ａ014）前記感光体（ＰＲ）表面のトナー像を回転する第２のトナー像担持体表面に転写する第１の転写部材と、前記第２のトナー像担持体表面のトナー像を前記画像記録位置（Ｑ３）において前記シートに転写する第２の転写部材であるシート転写部材（ＲＴ）とを有する前記転写装置。
【００１８】
（本発明の形態６の作用）
前記構成要件（Ａ013）,（Ａ014）を備えた本発明の形態６の画像形成装置（Ｕ）では、トナー像形成装置の前記帯電部材（ＣＲ）は、前記画像記録位置（Ｑ３）を通過して回転する前記第１のトナー像担持体の感光体（ＰＲ）表面を一様に帯電させる。前記潜像形成装置（ＲＯＳ）は、帯電された前記感光体（ＰＲ）表面に静電潜像を形成する。前記現像装置（Ｇ）は前記静電潜像をトナー像に現像する。
転写装置の前記第１の転写部材（ＲＴ）は、前記感光体（ＰＲ）表面のトナー像を第２のトナー像担持体表面に転写する。前記第２の転写部材である前記シート転写部材（ＲＴ）は、前記第２のトナー像担持体表面のトナー像を前記画像記録位置（Ｑ３）において前記シートに転写する。
【発明の効果】
【００１９】
前述の本発明は、下記の効果（Ｅ01）を奏する。
（Ｅ01）画像形成装置の前側から車椅子に座ったユーザが前記画像形成装置に接近する際、前記ユーザの足元と画像形成装置下部とがぶつからずに接近することができる。
【発明を実施するための最良の形態】
【００２０】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００２１】
図１は、本発明の実施例１の画像形成装置としての複写機の斜視説明図である。
図２は、同実施例の画像形成装置としての複写機の縦断面図である。
図１、図２において、実施例の画像形成装置としての複写機Ｕは、画像形成装置本体Ｕ１、自動原稿搬送装置Ｕ２を有している。前記画像形成装置本体Ｕ１は、ＩＯＴ（イメージアウトプットターミナル、すなわち、画像出力部）、ＩＩＴ（イメージインプットターミナル、すなわち画像読取部）を有している。
前記自動原稿搬送装置Ｕ２は、ＩＩＴ上面のプラテンガラスＰＧ上に支持されている。前記ＩＯＴ上面には上方のＩＩＴとの間にシート排出トレイＴＲｈが設けられている。
【００２２】
前記自動原稿搬送装置Ｕ２は、複写しようとする複数の原稿Ｇｉが重ねて載置される原稿給紙トレイＴＧ1を有している。前記原稿給紙トレイＴＧ1に載置された複数の各原稿Ｇｉは順次プラテンガラスＰＧ（図２参照）上の複写位置を通過して原稿排紙トレイＴＧ2に排出されるように構成されている。前記自動原稿搬送装置Ｕ２は、後端部（−Ｘ端部）に設けた左右方向に延びるヒンジ軸Ｈ（図２参照）により前記プラテンガラスＰＧ上面に対して回動可能であり、原稿を作業者が手でプラテンガラスＰＧ上に置く場合に上方に回動される。
前記画像形成装置本体Ｕ1は、ユーザがコピースタート等の作動指令信号を入力操作するＵＩ（ユーザインタフェース）を有している。
【００２３】
前記透明なプラテンガラスＰＧの下方には原稿画像を読み取るための露光光学系Ａが配置されている。
前記自動原稿搬送装置Ｕ2によりプラテンガラスＰＧ上面の複写位置を通過する原稿を読み取る場合は露光光学系Ａは停止しているが、手動でプラテンガラスＰＧ上に置かれた原稿（図示せず）を読み取る場合は露光光学系Ａは、ＰＧ下面に沿って左右方向（Ｙ軸方向）に移動する。前記原稿からの反射光は、前記露光光学系Ａを介してＣＣＤ（固体撮像素子）に入射し、前記ＣＣＤで電気信号に変換される。
ＩＰＳ（イメージプロセッシングシステム）は、ＣＣＤから入力される電気信号を画像データに変換して一時的に記憶し、前記画像データを所定のタイミングで潜像形成用の画像データとしてレーザ駆動回路ＤＬに出力する。
レーザ駆動回路ＤＬは、入力された画像データに応じてレーザ駆動信号をＲＯＳ（潜像形成装置）に出力する。なお、前記ＵＩ（ユーザインタフェース）、ＩＰＳおよびレーザ駆動信号出力装置ＤＬと、後述の現像ロールＲ０、転写ロールＲＴにバイアス電圧を印加する電源回路Ｅ等の動作は本体側コントローラＣにより制御される。
【００２４】
図２において前記ＲＯＳの後方（−Ｘ方向）には転写ロールＲＴが配置されており、前記転写ロールＲＴと前記ＲＯＳとの間の空間には、画像形成装置本体Ｕ１に対して着脱可能なカートリッジＣＲＵが装着されている。前記カートリッジＣＲＵは、クリーナユニットＣＬと現像ユニットＧとを有している。
クリーナユニットＣＬはトナー回収容器Ｔと、このトナー回収容器Ｔに支持された像担持体（感光体）ＰＲ、帯電ロールＣＲおよびクリーニングブレードＢ等により構成されている。現像ユニットＧは、現像剤を収容する現像剤容器Ｖと、この現像剤容器Ｖに回転可能に支持された現像ロールＲ０および現像剤攪拌部材（現像剤を移動させる移動部材）Ｒ１，Ｒ２，Ｒ３等により構成されている。
【００２５】
感光体ドラムにより構成される像担持体ＰＲはその軸ＰＲａと一体的に矢印方向に回転しており、その表面は、帯電ロールＣＲにより一様に帯電された後、潜像書込位置において前記ＲＯＳ（潜像形成装置）のレーザビームＬにより露光走査されて静電潜像が形成される。
前記静電潜像が形成された像担持体ＰＲ表面は回転移動して現像領域Ｑ２（像担持体ＰＲおよび現像ロールＲ０が対向する領域）、転写領域Ｑ３（感光体ＰＲおよび転写ロールＲＴが対向する領域）を順次通過する。
現像ユニットＧは、前記現像領域Ｑ２を通過する像担持体ＰＲ上の静電潜像をトナー像に現像する。
【００２６】
図３は、本発明の実施例１の画像形成装置としての複写機の正面図である。
図１、図２、図３において、画像形成装置本体Ｕ１の下部には前面（Ｘ側面）および下面（−Ｚ面）が開口した移動ユニット収納部Ｋが形成されている。前記移動ユニットＫは後壁Ｋａを有している。前記後壁Ｋａにはユニット貫通孔Ｋａ１が形成されており、前記ユニット貫通孔Ｋａ１を通って移動ユニットＵＴが前後に移動可能に構成されている。
【００２７】
前記移動ユニット収納部Ｋには、移動ユニットＵＴが前方（Ｘ方向）に引き出された前方引出し位置と後方（−Ｘ方向）の収納位置との間で移動可能に支持されている。前記移動ユニットＵＴはトレイ支持部材ＵＴ１と前記トレイ支持部材ＵＴ１に支持された給紙トレイＴＲ1〜ＴＲ3とを有している。前記トレイ支持部材ＵＴ１は左右の側面部ＵＴ１a，ＵＴ１aと上面部ＵＴ１bとで構成されている。前記トレイ支持部材ＵＴ１の左右の側面部ＵＴ１a,ＵＴ１aの外側面には、それぞれ二対のガイドレールＳＲ,ＳＲ,ＳＲ,ＳＲの内側部が接合されている。前記ガイドレールＳＲ,ＳＲ,ＳＲ,ＳＲの外側部は前記画像形成装置本体Ｕ１の内壁Ｕ１ａ（図３参照）に接合されており、前記トレイ支持部材ＵＴ１は前記ガイドレールＳＲ,ＳＲ,ＳＲ,ＳＲを介して画像形成装置本体Ｕ１により前記前方引出し位置と収納位置（図２に示された位置）との間を前後方向（Ｘ,―Ｘ方向）に移動可能に支持されている。
【００２８】
前記トレイ支持部材ＵＴ１に支持された複数段の給紙トレイＴＲ1〜ＴＲ3は、前端部が上方に傾斜している。前記収納位置（図２参照）において、前記トレイ支持部材ＵＴ１は、前記複数段の給紙トレイＴＲ１〜ＴＲ３に収容された記録シートが、ピックアップロールＲｐとリタ―ドロールおよびさばきロールＲｓにより構成された給紙装置ＳＫによって給紙可能な位置に停止するように支持されている。前記複数段の給紙トレイＴＲ1〜ＴＲ3は、上段よりＴＲ1,ＴＲ2,ＴＲ3の順にシート搬送路方向のサイズが小さくなるように形成されている。前記給紙トレイＴＲ1〜ＴＲ3の前端部には、開閉部ＴＲf1〜ＴＲf3が形成されている。前記開閉部ＴＲf1〜ＴＲf3は、前方下部に設けたＹ軸方向（Ｙ,−Ｙ方向）に延びるヒンジ軸Ｈ２に回動可能に支持されている。前記給紙トレイＴＲ1〜ＴＲ3では、前記前方引出し位置に移動された移動ユニットＵＴの前記開閉部ＴＲf1〜ＴＲｆ2を開くことによって前記給紙トレイＴＲ1〜ＴＲ3に記録用シートが補充可能に構成されている。
【００２９】
前記トレイ支持部材ＵＴの後部上面にはストッパＳＰ（図２参照）が形成されている。前記ストッパＳＰが前記移動ユニット収納部Ｋに設けられた後壁Ｋａの上端部に当接することにより、前記移動ユニットＵＴは前記収納位置に位置決めされる。この時前記移動ユニットＵＴの前端部は、画像形成装置Ｕの前端面（Ｘ端面）よりも後方（―Ｘ方向）に位置するよう形成されている。
前記移動ユニットＵＴの前端部上面（前記上面部ＵＴ１bの前端部）には、前記移動ユニットＵＴを前記収納位置から前側（Ｘ側）に引き出す際に使用する取っ手部Ｈａが設けられている。
【００３０】
前記各給紙トレイＴＲ1〜ＴＲ3から、ピックアップロールＲｐにより取出された記録シートは、リタードロールおよび給紙ロールを有するさばきロールＲｓにより１枚づつ分離されて、一旦下方に搬送されてから上方にＵターンし、シート搬送路ＳＨおよび複数のシート搬送ロールＲａにより上方に搬送される。前記上方に搬送された前記記録シートは、レジロールＲｒにより所定のタイミングで、前記転写領域Ｑ３に搬送される。
【００３１】
前記転写ロールＲＴは転写領域Ｑ３において前記像担持体ＰＲに圧接しており、転写領域Ｑ３を通過する記録シートに像担持体ＰＲ上のトナー像を転写する。転写領域Ｑ３において像担持体ＰＲ表面のトナー像が記録シートに転写された後、前記像担持体ＰＲ表面に付着した残留トナーは、クリーナユニットＣＬのクリーニングブレードＢによりトナー回収容器Ｔに回収される。
【００３２】
前記転写領域Ｑ３において未定着のトナー像が転写された記録シートは、トナー像が未定着の状態で定着領域Ｑ４に搬送され、定着領域Ｑ４に配置された定着装置Ｆの一対の定着ロールＦｈ，Ｆｐによりトナー像が定着される。定着トナー像が形成された記録シートは、定着領域下流側のシートガイドＳＧ１，ＳＧ２にガイドされて排紙ロール（標準排出ロール）Ｒ１に搬送され、前記排紙ロールＲ１によりシート排出トレイＴＲｈに排出される。
前記符号ＳＨ，Ｒａ，Ｒｒ，Ｒ１等により示された要素によりシート搬送装置ＨＳが構成されている。
【００３３】
（実施例１の作用）
図４は、本発明の実施例１の作用説明図である。
前記構成を備えた実施例１の画像形成装置としての複合機Ｕでは、トレイ支持部材ＵＴ１は前方引出し位置と、後方の収納位置との間で移動する。前記トレイ支持部材ＵＴ１が前記収納位置に移動した状態において、複数段の各給紙トレイＴＲ1〜ＴＲ3の記録シートをシート搬送装置ＨＳに搬送する。前記収納位置では前記移動ユニットＵＴの各給紙トレイＴＲ1〜ＴＲ3の前端は、前記移動ユニットＵＴの上方の画像形成装置本体Ｕ１の前端よりも後方に配置される。このため、車椅子に座ったユーザは、足元を前記移動ユニットＵＴの上方の画像形成装置本体Ｕ１の前端よりも後方に進入させて作業を行うことができる。
【００３４】
また、前記複数段の給紙トレイＴＲ1〜ＴＲ3の上側に配置される給紙トレイに比較して下側に配置される給紙トレイは、シート搬送方向のサイズが小さい。前記複数段の給紙トレイＴＲ1〜ＴＲ3の配置によって、移動ユニットＵＴの複数段に配置された各給紙トレイは全体として前後方向（Ｘ，−Ｘ方向）に薄型に構成される。このため、前記画像形成装置の下部の前記複数段の給紙トレイＴＲ１〜ＴＲ３の前側及び下側には、車椅子に座ったユーザの足の下部が入るスペースを確保することができる。
したがって本発明の実施例１の複写機Ｕでは、画像形成装置の前側から車椅子に座ったユーザが前記画像形成装置に接近する際、前記ユーザの足元と画像形成装置下部とがぶつからずに接近できるようにすることができる。
【産業上の利用可能性】
【００３５】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（Ｈ01）前記実施例１では、単色（黒色）の画像形成装置に本発明が適用されているが、本発明はこれに限定されず、カラーの画像形成装置に適用することも可能である。すなわち、従来公知（例えば、特開２００１−２６５０９６号公報等参照）のカラーの画像形成装置のような、画像記録位置を通過して回転する感光体（第１のトナー像担持体）表面を帯電する帯電部材、帯電された感光体表面に静電潜像を形成する潜像形成装置および静電潜像をトナー像に現像する現像装置とを有する各色毎のトナー像形成装置と、感光体表面のトナー像を回転する中間転写ベルト(第２のトナー像担持体)表面に転写する各色毎の１次転写器（第１の転写部材）および中間転写ベルト表面のトナー像をシートに転写する２次転写器（第２の転写部材）を備えた画像記録装置（プリンタ部、ＩＯＴ）を有する画像形成装置にも適用可能である。
【図面の簡単な説明】
【００３６】
【図１】図１は、本発明の実施例１の画像形成装置としての複写機の斜視説明図である。
【図２】図２は、同実施例の画像形成装置としての複写機の縦断面図である。
【図３】図３は、本発明の実施例１の画像形成装置としての複写機の正面図である。
【図４】図４は、本発明の実施例１の作用説明図である。
【符号の説明】
【００３７】
ＣＲ…帯電部材、
Ｇ…現像装置、
ＨＳ…シート搬送装置、
ＩＩＴ…イメージスキャナ、
ＩＯＴ…画像記録装置、
ＰＲ…トナー像担持体（感光体）、
Ｑ３…画像記録位置、
ＲＯＳ…潜像形成装置、
ＲＴ…転写装置、
ＳＫ…給紙装置、
ＴＲｈ…上面排紙トレイ、
ＴＲ1〜ＴＲ3…複数段の給紙トレイ、
Ｕ…画像形成装置、
ＵＴ…移動ユニット、
ＵＴ１…トレイ支持部材。
【図１】
2007214836.tif 000003
【図２】
2007214836.tif 000004
【図３】
2007214836.tif 000005
【図４】
2007214836.tif 000006